(57)【特許請求の範囲】
【請求項１】
キー（１）であって、
一端部（６）であって、キーが引込まれるポジションと引出されるポジションとの間で回動するようにケーシング（２）に取り付けられたヨーク（７）に固定されている一端部（６）と、
コントロールプッシュボタン（１７）であって、ヨークに取り付けられ、それと共に回動するように、且つケーシングの部分のノッチ（２６）に係合される少なくとも一つのスタッド（２５）を有するコントロールプッシュボタンにおけるヨークを保持するためのブロッキングポジションと、ヨークが回動するように解放し、前記スタッドがノッチから逃げるプッシュ−イン・ポジションとの間でスライドするようにされているコントロールプッシュボタン（１７）と、
スプリング（１８）であって、ケーシングとコントロールプッシュボタンとの間に介装され、ヨークをキーが引き出されるポジションに向けて、且つ前記コントロールプッシュボタンをそのブロッキングポジションに向けて弾発的に付勢する、スプリング（１８）と、を具備するものにおいて、
前記ノッチは、前記ケーシングの部分に圧入されるワッシャー（１３）内に形成され、
前記ワッシャーは、前記ケーシングよりも硬く、前記コントロールプッシュボタンの材料と同等の強度を有する材料で形成され、
前記ワッシャーは、前記ケーシングの部分に対してそれが回転するのを防止する外形が円形でない手段を含む、
ことを特徴とするキー。
【請求項２】
前記ワッシャー（１３）は、ケーシング（２）の凹所（１４）に圧入されている、請求項１に記載のキー。
【請求項３】
前記ケーシングの部分は、所定位置に前記ワッシャーを保持するために変形された一つのスタッド（３０）を含む、請求項１または２記載の、いずれか１項に記載のキー。
【請求項４】
前記ケーシングの部分は、熱可塑性樹脂によって形成され、ケーシングの部分のスタッド（３０）は、熱間変形されたものである、請求項３に記載のキー。
【請求項５】
前記ワッシャー（１３）は、ケーシングの表面に対して外方に突出する、少なくとも一つの突出部（２８）を含む、請求項１に記載のキー。
【請求項６】
前記ワッシャー（１３）が、ケーシングの表面に対してワッシャー（１３）から突出する二つの突出部（２８）を備え、該突出部（２８）はそれぞれノッチ（２９）を有し、ワッシャー（１３）を受容するケーシングの部分が、少なくとも一つの突出部（２８）と係合する側部表面を有し、突出部（２８）がケーシングの側部表面に当接することにより、ワッシャー（１３）がケーシングに対する相対的回動に抵抗する、請求項１に記載のキー。
【請求項７】
前記ワッシャー（１３）が、ケーシングの部分（３２）と係合する周囲ステップ（３１）を備え、ケーシングに対して回転することを防止する、請求項２に記載のキー。
【請求項８】
前記ワッシャー（１３）は金属製である、請求項１に記載のキー。
【請求項９】
前記金属は亜鉛合金である、請求項２に記載のキー。
【請求項１０】
前記ケーシング（２）は容器（４）とカバー（５）とを具備し、且つ前記ワッシャー（１３）は前記カバーに固定されている、請求項１に記載のキー。
【請求項１１】
前記ノッチ（２６）は、前記ワッシャー（１３）の二つの対向面に開口するものである、請求項１に記載のキー。
【発明の詳細な説明】
【技術分野】
【０００１】
本発明は、例えば自動車のロックを作用させるために、好適に用いられるキーに関するものである。
【背景技術】
【０００２】
ケーシング内に引込まれるポジションと引出されるポジションとの間で、ピボット軸周りに回動するケーシングの両外郭部間に取り付けられているヨークに固定された一端部を有するキーがある。
コントロールプッシュボタンがヨークに、それと共に回動を抑制するように取り付けられ、そしてそのヨークの回動を阻止する引出しポジション、すなわちプッシュボタンがヨークのそれぞれのポジションに対応して配置されているケーシングのノッチに係合されるスタッドを有するポジションと、ヨークが回動できるように解放するためのプッシュ−イン・ポジション、すなわちスタッドがノッチから離脱するポジションとの間でスライドするように取り付けられている。
一つのスプリングが、ケーシングと、引出しポジションにヨークを弾発的に付勢し、且つブロッキングポジションにもたらすためのコントロールプッシュボタンとの間に介装される。
前記ケーシングは通常、プラスチック材で形成される一方、プッシュボタンは金属で構成される。ケーシングは、ヨークの反対側にキーリングを通過させるためのオリフィスを含むことが多い。
【０００３】
そのキーが所定の位置で保持されるという有効性はキーが引出しポジションにおいて保持されている間、キーかケーシングに与えられるピボット力のために、時間が経過するにつれて失われるということが見出されている。従って、キーが引出しポジションにある間ロック状態にあり、そしてもしキーリングに大きく負荷がかかっている場合、そのときはプッシュボタンのスタッドはノッチの壁に対して大きな応力を及ぼし、ノッチが平らになるように仕向けられ、ノッチがひしゃげる状態となり、その結果、スタッドの逃げが促進される。
【０００４】
そのような問題を改善するために、一つの可能な解決方法として、応力をよりよく分散させるために、接触面を増加させることである。それにもかかわらず、そのことによりケーシングのサイズが増大する。その他の解決法としては、ノッチからスタッドのタイミングが合わない逃げを防止するように、ばねの強さを増大させることである。しかしながら、それによりプッシュボタンの操作がより困難なものとなる。
【発明の概要】
【発明が解決しようとする課題】
【０００５】
本発明の目的は、所定の位置におけるヨークを保持するための手段を提供することにある。そして、その手段は、簡便性はそのままに、より信頼性がたかいものとなる。
【課題を解決するための手段】
【０００６】
上記課題を解決するために、本発明では、キーであって、キーは、一端部であって、キーが引込まれるポジションと引出されるポジションとの間で回動するようにケーシングに取り付けられたヨークに固定されている一端部と、コントロールプッシュボタンであって、ヨークに取り付けられ、それと共に回動するように、且つケーシングの部分のノッチに係合される少なくとも一つのスタッドを有するプッシュボタンにおけるヨークを保持するための引き出されたポジションと、ヨークが回動するように解放し、スタッドがノッチから逃げるプッシュ−イン・ポジションとの間でスライドするようにされているコントロールプッシュボタンと、スプリングであって、ケーシングとコントロールプッシュボタンとの間に介装され、ヨークを引き出されたポジションに向けて、且つコントロールプッシュボタンをそのブロッキングポジションに向けて弾発的に付勢する、スプリングと、を具備し、ノッチは、ケーシングの部分に符合するワッシャー内に形成され、且つ、ワッシャーは、ケーシングよりも硬くされているキーを提供するものである。
【０００７】
用語「ワッシャー」は、ここでは、プッシュボタンを受けることが可能な開口部を備えるいずれの箇所においても用いられている。それ故、ワッシャーは、ケーシングに比較して機構的に強く、プッシュボタンが作られる材料と同等の強度の材料によって形成される。従って、ヨークは摩耗する問題がないという特に安全な方法で保護され得る。
【０００８】
第１の実施形態では、ワッシャーは第１外郭部の凹所に圧入されている。
【０００９】
第２の実施形態では、ケーシングの前述部分は、ワッシャー上にオーバーモールドされている。
【００１０】
第３の実施形態において、ケーシングの前述部分は、所定の位置でワッシャーを保持するように加工された少なくとも一つのゾーンを含む。
好ましくは、そのワッシャーは、第１の外郭部に対して回動するのを阻止する手段を含み、これらの手段は、輪郭が円形でなく、好適には少なくとも、ケーシングの表面に位置を保つために外方へ突出する一つの突出部を有する。
【００１１】
その非円形外郭は、ワッシャーの厚さの一部か全てに広がるようにしてもよい。その突出部は、レバーアームの効果から利益を得ることが可能であるし、ケーシングがキーに対して回動するように促されるとき、ワッシャーがケーシングに及ぼす応力を分散する相対的に大きな領域を得ることができる。
【００１２】
他の特徴や利点は、後述の特別な、本発明の限定されない実施形態の説明により開示される。
【図面の簡単な説明】
【００１３】
以下に、添付図面を参照して、よりよく説明される。
【図１】図１は、本発明におけるキーの拡大斜視図である。
【図２】図２は、キーのケーシングの部分、この部分は、本発明におけるワッシャーを取り付けたケーシングの斜視図である。
【図３】図３は、ワッシャーの第１実施形態の要部斜視図である。
【図４】図４は、第２実施形態のワッシャーを取り付けたケーシングの部分の要部斜視図である。
【発明を実施するための形態】
【００１４】
本発明におけるキーは、ここでは自動車のロックとして作用する装置として開示している。特に、このキーは、ドアのロック／アンロック、トランクおよびステアリングコラム、そしてさらに点火装置を作動させるために用いられる。
【００１５】
図１、図２を参照すれば、符号１によって指示されるキーは、ケーシング２の側部の凹所３に引込まれているポジションと、引込みポジションに対して１８０度引出される、キー１における引出しポジションとの間で回動するケーシング２上に取り付けられている。この例において、ケーシング２は、カバー５より閉じられる容器４からなり、集中ロック／アンロック装置を操作して自動車のドアを遠隔的にロック／アンロックする知られた方法で、配置された電子リモートコントロールを含んでいる。電子コントロールモジュールは、またアラームを始動停止したり、ヘッドライトのオンオフ、……ができるように構成されている。
【００１６】
例えば、容器４とカバー５とは、熱可塑性樹脂によって射出成形によって形成されている。
【００１７】
カバー５は、キー１の長手軸に対して垂直で、キー１の枢軸と一致する中心軸１１を有する開口部２７を具備している。
【００１８】
ワッシャー１３は、ケーシング２のカバー５内における開口部２７の周囲に同軸的にカバー５内に形成された凹所１４に受容されている。互いに１８０度方向に展開するノッチ２６は、ワッシャー１３の厚さ方向に形成され、ワッシャー１３の円周内側に沿って、容器４（ノッチ２６はワッシャー１３の厚さに比較して小さな高さのものである）に対向するワッシャー１３の面に向かって開口している。
そのワッシャー１３は輪郭が円形ではなく、例えばワッシャー１３がカバー５に対して回動するのを阻止するための凹所１４の平坦面に接触するように広がる平坦部１５を備えている。
【００１９】
ワッシャー１４はこの実施形態では、金属で形成され、そして特には、亜鉛ベースの合金、特には、アルミニウム、Ｚａｍａｋ（登録商標）の下で販売された合金からなる。
ワッシャー１３は、ターニング、コールドヘッディング、あるいはカッティングやスタンピング加工によって形成される。カバー５は、ここではワッシャー１３上にオーバーモールドされている。それ故、ワッシャー１３は熱可塑性樹脂によって形成されるケーシング２より硬い。さらに一般的には、ワッシャー１３はケーシング２に比較して、機械的に強い。
【００２０】
キー１は、符号７で指示されるヨークで固定される一端を有し、キー１の引出しポジションと引込みポジションとの間で、回動可能とするべく、側面の凹所３の一端部にケーシングの二つの平行な外郭部の間に、受け止められる。
【００２１】
ヨーク７は、平行で反対方向に対向する、外側表面８、９を有する。ヨーク７は、外側表面８、９に垂直な中心軸１１と一致する軸の穴１０を有する。穴１０は円形である断面形状を呈し、外側表面８、９に向けて開口している。
【００２２】
ヨーク７における穴１０は、符号１６で指示するヒンジエレメント１６と、符号１７で指示するコントロールプッシュボタンとを受け止める。それらの間には、スプリング１８が介設されている。
【００２３】
ヒンジエレメント１６は、円形の輪郭を有する、外面的に円筒形状を有し、ヨーク７を受ける側面の凹所３の端部におけるキャビティ２０内に係合するエンド１９と、ヨーク７における穴１０に回動可能に係合する対向エンド２１とを有する。
キャビティ２０とヒンジエレメント１６のエンド１９は、ヒンジエレメント１６がケーシング２に対して回動するのを防止するように、補足的な形の突部を有する。それ故、エンド１９は、キャビティ２０の平坦面に対応して接触する平坦部を含み、キャビティ２０から突出される突部に対応して受ける偏心した凹みを有している。エンド２１は外形が実質的に円筒形状であり、円形部を有している。
【００２４】
コントロールプッシュボタン１７は、環状的に円筒状である外表面を有し、穴１０に係合される一端部２２と、穴１０から突出する対向端部分２３とそれらの中に開口部２７を貫通するカバー５とを有する。二つのスタッド２４は、端部分２２から１７０度をもって互いに相対的にオフセットされ、穴１０の中に、プッシュボタンが、ヨーク７が回動するのを阻止するポジションとヨーク７が回動するように解放するポジションとの間でスライドできるように、銃剣形形状を有するように周知の手法で形成された溝１２に係合されるようにしている。
【００２５】
ブロッキングポジションにおいて、端部分２３とそれらの端末のスペースからの凹所から突出する二つのスタッド２５は、二つのノッチ２６と噛合うようにしている。
ヨーク７が回動できるように解放されるポジションにおいて、コントロールプッシュボタン１７は、スタッド２５がノッチ２６から離脱するように押し込められる。
【００２６】
ヒンジエレメント１６とコントロールプッシュボタン１７とが、ケーシング２に対するヨークのヒンジと回動軸として規定される。このヒンジ軸は、中心軸１１と一致している。
【００２７】
スプリング１８は、ヒンジエレメント１６とコントロールプッシュボタン１７内において回動するのを阻止する端部を有している。この実施形態では、コントロールプッシュボタン１７は、プッシュボタンに対して端部が回動するのを阻止するスプリング１８の端部を受け入れるスロット２７を有している。
スプリング１８は、コントロールプッシュボタン１７が、そのブロッキングポジションに復帰するように、加圧下で作用するように構成された螺旋スプリングである。
加えて、ヨーク７が引込みポジションにあるとき、スプリング１８は、その静止状態に対して、少なくとも１８０度捻り状態にある。それ故、スプリング１８は溝１２の側面に対して押圧するスタッド２４を保持するべく捻るように作用する構成とし、さらに、これによりヨーク７をキー１が引出されるポジションに回動するようにしている。
【００２８】
操作において、ブロッキングポジションにおけるコントロールプッシュボタン１７は、ヨーク７を、キー１が引出されるポジションと引込むポジションとに保持するように作用する。もしノッチ２６が、スライド方向に平行な側面によって、横に規定されるなら、コントロールプッシュボタン１７をキー１をその引出しポジションからその引込みポジションへ、あるいは同様に逆方向に、移動させるために解放ポジションに押し込む必要がある。
【００２９】
図３に示す変形例において、ワッシャー１３内におけるノッチ２６は、ワッシャー１３の双方の面に開口するようにワッシャー１３の厚さと等しい高さを有している。それによって、特に切り抜いてスタンピングによって、製作を容易にしている。
【００３０】
ワッシャー１３は、ワッシャー１３から突出する二つの側部突出部２８を備え、それら側部突出部２８には、それぞれノッチ２９が設けられている。ワッシャー１３を受容するカバー５の部分は、側部突出部２８がカバー５の表面に対して隣接してワッシャー１３とカバー５の相対回動に対向するように、少なくとも側部突出部２８のうちの一つと合致して広がる側部表面を有する。それぞれのノッチ２９は、カバー５の内表面から突出するスタッド３０を受け入れる。それぞれのスタッド３０はワッシャー１３から突出するヘッドを有し、カバー５の内表面に対してワッシャー１３を押し込んで熱いうちに変形される（本実施形態では平坦状に）。
【００３１】
変形例では、スタッド３０はワッシャー１３におけるオリフィスに圧入せしめられる。
図４の変形例では、ワッシャー１３は凹所１４に圧入せしめられ、凹所１４はワッシャー１３の外寸より小さい中心軸１１に対し、垂直な大きさを有し、そのために、ワッシャー１３は弾性変形による凹所内に保持される。より容易に圧入するために、凹所とワッシャー１３に、先端部に面取りが形成される。
【００３２】
ワッシャー１３は、ワッシャーがカバー５に対して回動しないようにするために、凹所１４において、突出部３２と係合する周囲ステップ３１を設けている。ここでは、ステップ３１は、凹所１４の終端傍らの、厚さの部分のみを占め、ワッシャー１３の直径面に対して対称的な配置構成である。
【００３３】
さらに、他の変形例において、超音波、摩擦、誘導溶接、接着剤でカバー５に固定することが可能であり、あるいは、ワッシャー１３がカバー５に対し回動しないようにするために、他の如何なる固定技術も可能である。ワッシャーは、所定の位置にそれを保持するために、刻み付などのような突出部を有する外表面を設けるようにしてもよい。
ワッシャー１３は凹所において固定され前記カバーの壁部に直接固定することもできる。
すなわち、本発明は、説明された実施形態に限定されるものではなく、クレームによって限定された発明の範囲を逸脱することなしに実施形態の改変は可能である。
【００３４】
他の変形例において、もしキー１を、コントロールプッシュボタン１７を作動する必要がなく、引出しポジションから引込みポジションへ移動することを望むのであれば、引込みポジションの傍らであるノッチ２６の側面（すなわち、キー１を引出しポジションから引込みポジションへと移動せしめる試みがなされる際スタッド２５が隣接する側面）は、スタッド２５と協働して傾き、コントロールプッシュボタン１７を解放ポジションに動かすようにスライドするカムを形成することができる。
【００３５】
加えて、ケーシング２は、図示されるようなものとは異なる形状のものでもよい。例えば、角度的に１８０度と等しくない、例えば、９０度、あるいは１２０度の角度により互いにオフセットされたキーの引込みと引出しポジションを有する円筒形状のものでもよい。
加えて、ヒンジエレメントは、ケーシングで不可欠的に形成することもできる。
さらに、また唯一つのノッチ、あるいは二つかそれ以上のノッチも可能である。ノッチは、ワッシャーの両面に開閉可能とするためにワッシャーの厚さより小さい、あるいは大きい高さとすることができる。
ワッシャーは一つかそれ以上のパーツで構成され、そして金属か、固定されたときにケーシングの部分よりも機械的に強い他の材料で構成することができる。
【図１】
0005755880.tif 000002
【図２】
0005755880.tif 000003
【図３】
0005755880.tif 000004
【図４】
0005755880.tif 000005